(57)【要約】【課題】  累積灯油使用量と一日の灯油使用量を表示することができる温風暖房機を提供する。【解決手段】  累積灯油使用量と一日の灯油使用量を記憶する記憶部３３と、一日の灯油使用量を積算する積算部３４と、記憶部３３の累積灯油使用量に一日の灯油使用量を加算して新たな累積灯油使用量を算出する演算部３５と、時刻を計時する計時部３６と、機器本体１の制御を行う制御装置３２とを備え、毎時間所定の時刻になると記憶部３３の一日の灯油使用量のデータを書き換えると共に、毎日所定の時刻になると記憶部３３の累積灯油使用量のデータを書き換えるので、使用者がなんら操作することなく自動的に一日の灯油使用量と累積灯油使用量のデータが更新されるものである。【選択図】  図６
2015048993.tif 000002
【特許請求の範囲】
【請求項１】
燃焼を行うバーナ部と、このバーナ部に燃料を送油する電磁ポンプと、累積灯油使用量と一日の灯油使用量を記憶する記憶部と、一日の灯油使用量を積算する積算部と、前記記憶部の累積灯油使用量に一日の灯油使用量を加算して新たな累積灯油使用量を算出する演算部と、時刻を計時する計時部と、累積灯油使用量、一日の灯油使用量を表示する数字表示部と、累積灯油使用量、一日の灯油使用量を表示させる使用量表示スイッチと、機器本体の制御を行う制御装置とを備えた温風暖房機に於いて、前記制御装置は、毎時間所定の時刻になると記憶部の一日の灯油使用量のデータを書き換えると共に、毎日所定の時刻になると記憶部の累積灯油使用量のデータを書き換えることを特徴とする温風暖房機。
【請求項２】
前記制御装置は、機器本体への通電状態がＯＮ状態からＯＦＦに状態になった時、記憶部の累積灯油使用量と一日の灯油使用量のデータの更新及びリセットと、積算部で積算されている一日の灯油使用量のリセットを行うことを特徴とする請求項１記載の温風暖房機。
【発明の詳細な説明】
【技術分野】
【０００１】
この発明は、温風を吹き出して室内を暖房する温風暖房機に関するものである。
【背景技術】
【０００２】
従来、この種のものにおいては、電磁ポンプによって燃焼部へ供給された灯油の量の積算値を記憶し、その積算値を表示させることができるようにしたものがあった。（例えば特許文献１参照）
【先行技術文献】
【特許文献】
【０００３】
【特許文献１】特開２００５−１４０４６８号公報
【発明の概要】
【発明が解決しようとする課題】
【０００４】
ところで、この従来のものでは、表示する灯油使用量が累積使用量のみで、例えば累積使用量と一日の使用量のようにいくつかの灯油使用量を表示することが出来なかった。
【０００５】
又、この従来のものでは、使用者のスイッチ操作によって初期化できる灯油使用量の積算値と使用者のスイッチ操作では初期化できない灯油使用量の積算値とを記憶し、ＥＥＰＲＯＭ等の不揮発性メモリーにも記憶することによって、電源が断たれても積算値が保持されるようにしたものであるが、使用者によって記憶する全ての灯油使用量を初期化して使用者の希望するタイミングから灯油使用量を積算して記憶することが出来なかった。
【課題を解決するための手段】
【０００６】
上記課題を解決するために、本発明の請求項１では、燃焼を行うバーナ部と、このバーナ部に燃料を送油する電磁ポンプと、累積灯油使用量と一日の灯油使用量を記憶する記憶部と、一日の灯油使用量を積算する積算部と、前記記憶部の累積灯油使用量に一日の灯油使用量を加算して新たな累積灯油使用量を算出する演算部と、時刻を計時する計時部と、累積灯油使用量、一日の灯油使用量を表示する数字表示部と、累積灯油使用量、一日の灯油使用量を表示させる使用量表示スイッチと、機器本体の制御を行う制御装置とを備えた温風暖房機に於いて、前記制御装置は、毎時間所定の時刻になると記憶部の一日の灯油使用量のデータを書き換えると共に、毎日所定の時刻になると記憶部の累積灯油使用量のデータを書き換えるものである。
【０００７】
また、請求項２では、前記制御装置は、機器本体への通電状態がＯＮ状態からＯＦＦに状態になった時、記憶部の累積灯油使用量と一日の灯油使用量のデータの更新及びリセットと、積算部で積算されている一日の灯油使用量のリセットを行うものである。
【発明の効果】
【０００８】
この発明の請求項１によれば、一日の灯油使用量と累積灯油使用量とを記憶部に記憶し、毎時間所定の時刻になると記憶部の一日の灯油使用量のデータを書き換えると共に、毎日所定の時刻になると記憶部の累積灯油使用量のデータを書き換えるので、使用者がなんら操作することなく自動的に一日の灯油使用量と累積灯油使用量のデータが更新されるものである。
【０００９】
また、請求項２によれば、機器本体への通電状態がＯＮ状態からＯＦＦに状態になった時、記憶部の累積灯油使用量と一日の灯油使用量のデータの更新及びリセットと、積算部で積算されている一日の灯油使用量のリセットを行うので、停電や電源コンセントを抜いた時でも、それまでの積算部で積算されている一日の灯油使用量が記憶部の累積灯油使用量に加算され、その時点での累積灯油使用量を正確に記憶することができるものである。
【００１０】
又、機器本体への通電状態がＯＮ状態からＯＦＦに状態になった時、記憶部と積算部の一日の灯油使用量がリセットされることにより、一日の灯油使用量が重複して累積灯油使用量に加算されるのを防止できるものである。
【図面の簡単な説明】
【００１１】
【図１】この発明の一実施形態の外観斜視図。
【図２】同断面図。
【図３】同燃焼系の構成図。
【図４】同操作部の正面図。
【図５】同制御系の構成図。
【図６】同データ更新時の作動を示すフローチャート図。
【発明を実施するための形態】
【００１２】
次に、この発明の一実施形態における温風暖房機を図に基づいて説明する。
１は温風暖房機本体で、２は前面上部に備えられた操作部、３は温風を案内するルーバ４が取り付けられた温風吹出口、５は背面の温風取入口６にファンガード７を介して取り付けられた対流ファン、８は前記温風取入口６と温風吹出口３とを連通する送風ボックス、９は前記送風ボックス８内にバーナヘッド１０を突出して設けられたバーナ部、１１は前記バーナヘッド１０を囲堯して燃焼空間を形成する燃焼筒、１２は前記送風ボックス８内で前記燃焼筒１１の真上に配設された遮熱板である。
【００１３】
前記機器本体１の外装体は、前面を覆う前パネル１３と、上面を覆う上面板１４と、側面及び背面を覆う背面板１５とを置き台１６の上に固定して構成されている。
【００１４】
１７は灯油などの液体燃料を供給するカートリッジ式タンク、１８はこのカートリッジ式タンク１７からの燃料を一時的に溜め置く固定タンク、１９は固定タンク１８内の燃料量が所定量以下になるとオンするフロートスイッチ、２０は固定タンク１８内の燃料を送油管２１及び送油ノズル２２を介してバーナ部９へ圧送する電磁ポンプ、２３は燃焼用空気を送風管２４を介して送風する燃焼ファンである。
【００１５】
２５は液体燃料を気化する気化器、２６は前記気化器２５を燃料が気化可能な温度まで加熱する気化ヒータ、２７は前記気化器２５の温度を検知する気化温度センサ、２８はバーナヘッド８の外周に設けられた炎孔網、２９は燃焼熱を気化器２５へ回収する熱回収リング、３０は気化ガスにスパーク放電して点火する点火器、３１は炎の状態を監視するフレームロッドである。
【００１６】
３２はこの機器本体１の制御を行う制御装置であって、マイコン（図示せず）を中心に構成され、ＥＥＰＲＯＭ等の不揮発性メモリーからなり、累積灯油使用量と一日の灯油使用量を記憶する記憶部３３と、一日の灯油使用量を積算する積算部３４と、前記記憶部３３の累積灯油使用量に一日の灯油使用量を加算して新たな累積灯油使用量を算出する演算部３５と、時刻を計時する計時部３６と、停電時や機器本体１の電源がＯＦＦされた時に前記記憶部３３及び演算部３５と計時部３６とに電源を供給する蓄電部３７とを備えたものである。
【００１７】
３８は前記操作部２に設けられた操作部基盤で、操作部２に設けられた各種スイッチや表示ランプがこの操作部基盤３８を介して前記制御装置３２に接続されており、前記操作部２には機器の自動運転／停止を指示する運転スイッチ３９と、運転開始からの時間をカウントして所定時間（３時間）経過すると自動消火させる消し忘れタイマー手段（図示せず）のカウント時間をリセットして再度所定時間（３時間）のカウントを開始させる延長スイッチ４０と、運転スイッチ３９に近接して設けられた自動運転ランプ４１と、室温や設定温度、時刻、累積灯油使用量、一日の灯油使用量を表示する数字表示部４２と、給油、累積灯油使用量、一日の灯油使用量という文字を表示する給油文字表示部４３と、累積灯油使用量、一日の灯油使用量を表示させる使用量表示スイッチ４４と、各スイッチの操作時や何等かの警告時に音を発するブザー４５とが設けられており、前記数字表示部４２と給油文字表示部４３は液晶表示器４６に設けられているものである。
【００１８】
前記使用量表示スイッチ４４は、ＯＮ操作する毎に給油文字表示部４３に累積灯油使用量と一日の灯油使用量を交互に表示させると共に、ＯＮ操作した際、そのまま所定時間長押しすると、その時累積灯油使用量が表示されていれば記憶部３３の累積灯油使用量のデータをリセットしてゼロにし、又、長押しした時、一日の灯油使用量が表示されていれば、記憶部３３と積算部３４との一日の灯油使用量のデータをリセットしてゼロにすることが出来るものである。
【００１９】
４７は操作部２と温風吹出口３との間の中央部に設けられたカラー表示器で、発光部基盤４８に赤色ＬＥＤ４９と緑色ＬＥＤ５０を３個ずつ環状交互に配置して赤色及び緑色の二色に発光する発光部５１と、この発光部５１の光を周囲に拡散する拡散レンズ５２とにより構成されており、運転中は視覚的に後退作用のある後退色の緑色に点灯し、且つ自動消火の一定時間前より緑色で点滅することにより消火を予告し、また残り燃料量が所定量以下となり消火する際には視覚的に進出作用のある進出色である赤色に点灯・点滅することで、より目に付きやすい色にて使用者に給油を促すものである。
【００２０】
次に、本実施例の作動について説明する。
まず、運転スイッチ３９がＯＮ操作されると、制御装置３２は気化器２５の気化ヒータ２６に通電を開始し、気化温度センサ２７が気化器２５の温度が燃料が気化可能な温度まで上昇したのを検知すると、制御装置３２は電磁ポンプ２０を駆動して気化器２５に燃料を供給すると共に、燃焼ファン２３を駆動して気化器２５に燃焼用空気を送風するものである。
【００２１】
この時、制御装置３２から電磁ポンプ２０に駆動パルス電流が出力され、電磁ポンプ２０内に設けたフロートが駆動パルス電流の１パルス毎に一回上下動し、それにより駆動パルスの１パルス毎に所定量の燃料が気化器２５に供給されるものである。
又、制御装置３２はし、電磁ポンプ２０に出力する駆動パルス電流のパルス数を検知することで灯油の使用量を算出することができるものである。
【００２２】
そして気化器２５内で気化した燃料と燃焼用空気が混合して気化ガスが生成され、この気化ガスを点火器３０にて着火することにより燃焼が開始されるものである。
そしてこの燃焼ガスに対流ファン５からの空気が混合されて温風吹出口３から温風として吹き出すことにより暖房運転が行われるものである。
【００２３】
次に、本実施例の灯油使用量の演算、記憶、表示制御について図６のフローチャートに基づいて説明する。
まず、制御装置３２は、計時部３６の計時する時刻が累積灯油使用量の積算値データ更新時刻の午前１２時であるかを確認する。（Ｓ１）
【００２４】
そして（Ｓ１）で計時部３６の計時する時刻が累積灯油使用量の積算値データ更新時刻の午前１２時である時、制御装置３２は累積灯油使用量の積算値のデータ更新を開始する。（Ｓ２）
【００２５】
まず、制御装置３２は、記憶部３３に記憶されている累積灯油使用量の積算値のデータを読み出して演算部３５に入力し（Ｓ３）、次に積算部３４で積算されている一日の灯油使用量の積算値のデータを読み出して演算部３５に入力し、該演算部３５は入力された累積灯油使用量の積算値に入力された一日の灯油使用量の積算値を加算して、更新された累積灯油使用量の積算値を算出する。（Ｓ４）
【００２６】
そして次に制御装置３２は、記憶部３３に記憶されている累積灯油使用量の積算値のデータを、更新された累積灯油使用量の積算値のデータに書き換え（Ｓ５）、更に、記憶部３３に記憶されている一日の灯油使用量の積算値のデータをゼロに書き換えるものである。（Ｓ６）  
【００２７】
更に制御装置３２は、積算部３４で積算されている一日の灯油使用量の積算値のデータをゼロに書き換え（Ｓ７）、これにより累積灯油使用量の積算値のデータ更新を終了するものである。（Ｓ８）
【００２８】
そして次に制御装置３２は、機器本体１への通電状態がＯＮ状態からＯＦＦに状態になったかを判断し（Ｓ９）、機器本体１への通電状態がＯＮ状態からＯＦＦに状態になった場合は（Ｓ２）に戻り、機器本体１への通電状態がＯＮ状態からＯＦＦに状態にならなかった場合は次に機器本体１が運転中かを判断し（Ｓ１０）、運転中でない場合は（Ｓ１）に戻り、運転中の場合は積算部３４の一日の灯油使用量の積算を継続して（Ｓ１１）、（Ｓ１）に戻るものである。
【００２９】
又、（Ｓ１）で計時部３６の計時する時刻が累積灯油使用量の積算値データ更新時刻の午前１２時ではない時、次に制御装置３２は計時部３６の計時する時刻が一日の灯油使用量の積算値データ更新時刻の毎時０分であるかを確認する。（Ｓ１２）
【００３０】
そして（Ｓ１２）で計時部３６の計時する時刻が一日の灯油使用量の積算値データ更新時刻の毎時０分ではない時、（Ｓ９）に戻り、又、（Ｓ１２）で計時部３６の計時する時刻が一日の灯油使用量の積算値データ更新時刻の毎時０分である時、制御装置３２は一日の灯油使用量の積算値のデータ更新を開始する。（Ｓ１３）
【００３１】
まず、制御装置３２は、積算部３４で積算されている一日の灯油使用量の積算値のデータを読み出して、次に記憶部３３に記憶されている一日の灯油使用量の積算値のデータを、その読み出した一日の灯油使用量の積算値のデータに書き換え（Ｓ１４）、それにより一日の灯油使用量の積算値のデータ更新を終了して（Ｓ１５）、（Ｓ９）に戻るものである。
【００３２】
尚、本実施例では（Ｓ９）で機器本体１への通電状態がＯＮ状態からＯＦＦに状態になった時、記憶部３３の累積灯油使用量と一日の灯油使用量のデータの更新及びリセットと、及び積算部３４で積算されている一日の灯油使用量のリセットを行うがこれに限定されず、機器本体１への通電状態がＯＮ状態からＯＦＦに状態になって更に再度ＯＮ状態になった時に記憶部３３の累積灯油使用量と一日の灯油使用量のデータの更新及びリセットと、及び積算部３４で積算されている一日の灯油使用量のリセットを行ってもよいものである。
【００３３】
以上のように、一日の灯油使用量と累積灯油使用量とを記憶部３３に記憶し、毎時間所定の時刻になると記憶部３３の一日の灯油使用量のデータを書き換えると共に、毎日所定の時刻になると記憶部３３の累積灯油使用量のデータを書き換えるので、使用者がなんら操作することなく自動的に一日の灯油使用量と累積灯油使用量のデータが更新されるものである。
【００３４】
又、機器本体１への通電状態がＯＮ状態からＯＦＦに状態になった時、記憶部３３の累積灯油使用量と一日の灯油使用量のデータの更新及びリセットと、積算部３４で積算されている一日の灯油使用量のリセットを行うので、停電や電源コンセントを抜いた時でも、それまでの積算部３４で積算されている一日の灯油使用量が記憶部３３の累積灯油使用量に加算され、その時点での累積灯油使用量を正確に記憶することができるものである。
【００３５】
又、機器本体１への通電状態がＯＮ状態からＯＦＦに状態になった時、記憶部３３と積算部３４の一日の灯油使用量がリセットされることにより、一日の灯油使用量が重複して累積灯油使用量に加算されるのを防止できるものである。
【符号の説明】
【００３６】
１  機器本体
９  バーナ部
２０  電磁ポンプ
３２  制御装置
３３  記憶部
３４  積算部
３５  演算部
３６  計時部
４２  数字表示部
４４  使用量表示スイッチ
【図１】
2015048993.tif 000003
【図２】
2015048993.tif 000004
【図３】
2015048993.tif 000005
【図４】
2015048993.tif 000006
【図５】
2015048993.tif 000007
【図６】
2015048993.tif 000008